(57)【特許請求の範囲】
【請求項１】
映像信号発生器と、この映像信号発生器の映像信号を高周波変調した高周波変調信号が一方の出力から供給される被検査チューナと、前記映像信号発生器のベースバンド信号が他方の出力から供給される可変遅延器と可変増幅器の直列接続体と、この直列接続体の出力信号と前記被検査チューナの出力信号との差を算出する減算器と、この減算器の出力信号が供給される判別手段とを備え、前記直列接続体は前記被検査チューナの代わりに基準チューナを用いたとき、前記減算器からの出力が略零になるように前記可変遅延器と前記可変増幅器を調整したものであり、前記被検査チューナの良否判定において、前記減算器の出力が予め定められた範囲にあるときは、前記被検査チューナは良品であると判定する映像判定装置。
【請求項２】
減算器の出力信号が供給される判別手段は、通過周波数の異なる複数個のフィルタを並列接続するとともに、これらの並列接続されたフィルタの出力信号をそれぞれ別処理する請求項１に記載の映像判定装置。
【請求項３】
複数個のフィルタは第１のフィルタと第２のフィルタとで構成され、前記第１のフィルタは、略１ｋＨｚから略２００ｋＨｚまでを通過帯域とするバンドパスフィルタとするとともに、前記第２のフィルタは、略１００Ｈｚから略２０ｋＨｚまでを通過帯域とするバンドパスフィルタで構成された請求項２に記載の映像判定装置。
【請求項４】
夫々のフィルタからの出力信号は、比較器を介して信号処理器へ供給されるとともに、この信号処理器からの出力信号で前記比較器への比較基準となる比較信号を生成する請求項３に記載の映像判定装置。
【請求項５】
比較器の出力信号をパルス整形した後カウンタを介して信号処理器に接続された請求項４に記載の映像判定装置。
【請求項６】
判別手段の出力にモニタを接続するとともに、このモニタに被検査チューナの検査内容を表示させる請求項１に記載の映像判定装置。
【請求項７】
判別手段の出力にプリンタを接続するとともに、このプリンタに被検査チューナの検査内容を印字させる請求項１に記載の映像判定装置。
【請求項８】
判別手段の出力に警報ランプを接続するとともに、減算器の出力が予め定められた値以上の場合に前記警報ランプを点灯させる請求項１に記載の映像判定装置。
【請求項９】
判別手段の出力に警報ブザーを接続するとともに、減算器の出力が予め定められた値以上の場合に前記警報ブザーを鳴動させる請求項１に記載の映像判定装置。
【請求項１０】
映像信号発生器と、この映像信号発生器の映像信号を高周波変調した高周波変調信号が一方の出力から供給される被検査チューナと、この被検査チューナからの出力信号が供給される可変増幅器と、前記映像信号発生器のベースバンド信号が他方の出力から供給される可変遅延器と、この可変遅延器の出力信号と前記可変増幅器の出力信号との差を算出する減算器と、この減算器の出力信号が供給される判別手段とを備え、前記可変遅延器と前記可変増幅器は前記被検査チューナの代わりに基準チューナを用いたとき、前記減算器からの出力が略零になるように調整したものであり、前記被検査チューナの良否判定において、前記減算器の出力が予め定められた範囲にあるときは、前記被検査チューナは良品であると判定する映像判定装置。
【請求項１１】
映像信号発生器の他方の出力と被検査チューナの出力とを互いに切り替える切り替え器を介して、可変増幅器の入力と可変遅延器の入力とに夫々入力する請求項１０に記載の映像判定装置。
【請求項１２】
判別手段は、減算器の出力に複数個のフィルタを並列接続するとともに、これらの並列接続されたフィルタの出力をそれぞれ別処理する請求項１１に記載の映像判定装置。
【請求項１３】
複数個のフィルタは第１のフィルタと第２のフィルタとから成り、前記第１のフィルタの出力は、平均値検出回路を介して信号処理器に接続されるとともに、前記第２のフィルタの出力はピークレベル検出回路を介して前記信号処理器に接続された請求項１２に記載の映像判定装置。
【請求項１４】
ピークレベル検出回路は、プラス側のピークを検出するプラスピークレベル検出回路とマイナス側のピークを検出するマイナスピークレベル検出回路とを並列に設け、前記プラスピークレベル検出回路と前記マイナスピークレベル検出回路の夫々の出力を加算する加算回路を設けるとともに、この加算回路の出力を信号処理回路に接続した請求項１３に記載の映像判定装置。
【請求項１５】
第１のフィルタの出力は、平均値検出回路を介して信号処理器に接続されるとともに、第２のフィルタの出力はレベル比較回路を介して前記信号処理器に接続された請求項１３に記載の映像判定装置。
【請求項１６】
レベル比較回路は、プラス側のレベルを比較するプラスレベル比較回路とマイナス側のレベルを比較するマイナスレベル比較回路とを並列に設け、前記プラスレベル比較回路と前記マイナスレベル比較回路の出力と信号処理器との間にパルス幅を計測するカウンタとパルス数を計測するカウンタとを並列に接続した請求項１５に記載の映像判定装置。
【請求項１７】
第１のフィルタの出力は、平均値検出回路を介して信号処理器に接続し、第２のフィルタの一方の出力はピークレベル検出回路を介して前記信号処理器に接続するとともに前記第２のフィルタの他方の出力はレベル検出回路を介して前記信号処理器に接続された請求項１３に記載の映像判定装置。
【発明の詳細な説明】
【０００１】
【発明の属する技術分野】
本発明は、高周波機器の映像判定装置に関するものである。
【０００２】
【従来の技術】
従来この種の映像判定は判定者が目視で行っていた。すなわち、図５に示すように、基準となる映像信号を発生させる映像信号発生器１と、この映像信号発生器１の出力に接続された被検査物としてのチューナ２と、このチューナ２の出力に接続されたモニタ３とで構成されていた。そして、映像信号発生器１の信号がチューナ２を通してモニタ３に映し出され、この映像を判定者４が目視でその映像品質を検査することにより、チューナ２の良否を判定していた。
【０００３】
【発明が解決しようとする課題】
しかしながらこのような従来の判定では、判定者４が目視で行っていたため、判定者４の判定能力やその時の気分・体調等によるバラツキが大きく、安定した判定品質が得られなかった。
【０００４】
本発明は、このような問題を解決するもので、安定した判定品質が得られる映像判定装置を提供することを目的としたものである。
【０００５】
【課題を解決するための手段】
この目的を達成するために、本発明の映像判定装置は、映像信号発生器と、この映像信号発生器の映像信号を高周波変調した高周波変調信号が一方の出力から供給される被検査チューナと、前記映像信号発生器のベースバンド信号が他方の出力から供給される可変遅延器と可変増幅器の直列接続体と、この直列接続体の出力信号と前記被検査チューナの出力信号との差を算出する減算器と、この減算器の出力信号が供給される判別手段とを備え、前記直列接続体は前記被検査チューナの代わりに基準チューナを用いたとき、前記減算器からの出力が略零になるように前記可変遅延器と前記可変増幅器を調整したものであり、前記被検査チューナの良否判定において、前記減算器の出力が予め定められた範囲にあるときは、前記被検査チューナは良品であると判定するものである。
【０００６】
これにより、安定した判定品質が得られる。
【０００７】
【発明の実施の形態】
本発明の請求項１に記載の発明は、映像信号発生器と、この映像信号発生器の映像信号を高周波変調した高周波変調信号が一方の出力から供給される被検査チューナと、前記映像信号発生器のベースバンド信号が他方の出力から供給される可変遅延器と可変増幅器の直列接続体と、この直列接続体の出力信号と前記被検査チューナの出力信号との差を算出する減算器と、この減算器の出力信号が供給される判別手段とを備え、前記直列接続体は前記被検査チューナの代わりに基準チューナを用いたとき、前記減算器からの出力が略零になるように前記可変遅延器と前記可変増幅器を調整したものであり、前記被検査チューナの良否判定において、前記減算器の出力が予め定められた範囲にあるときは、前記被検査チューナは良品であると判定する映像判定装置であって、基準チューナの時間遅れと増幅度をシュミレートした直列接続体を通過した信号と、被検査チューナを通過した信号との差で被検査チューナの良否を判定するものであり、判定者の判定能力に負うところはないので、安定した判定品質が得られる。
【０００８】
また、映像信号発生器の一方の出力信号側は、減算器との間に被検査チューナが接続されているのみであり、特別に遅延素子を有していないので、正確な測定ができる。
【０００９】
請求項２に記載の発明の減算器の出力信号が供給される判別手段は、通過周波数の異なる複数個のフィルタを並列接続するとともに、これらの並列接続されたフィルタの出力信号をそれぞれ別処理する請求項１に記載の映像判定装置であり、それぞれの周波数帯毎のノイズ量や波形異常を知ることができるので、被検査チューナの不良性能項目を特定することができる。
【００１０】
請求項３に記載の発明は、複数個のフィルタは第１のフィルタと第２のフィルタとで構成され、前記第１のフィルタが、略１ｋＨｚから略２００ｋＨｚまでを通過帯域とするバンドパスフィルタとするとともに、前記第２のフィルタは、略１００Ｈｚから略２０ｋＨｚまでを通過帯域とするバンドパスフィルタで構成された請求項２に記載の映像判定装置であって、第１のフィルタの出力により、被検査チューナからは映像画面に白線等を生じさせる比較的高い周波数のノイズやパルス性のノイズを取り出すことや、同期信号の乱れ等を知ることができる。また、第２のフィルタの出力により、被検査チューナからは電源ノイズ等の比較的低い周波数のノイズを出力していることを知ることができる。
【００１１】
請求項４に記載の発明は、フィルタからの出力信号を、比較器を介して信号処理器へ供給されるとともに、この信号処理器からの出力信号で前記比較器への比較基準となる比較信号を生成する請求項３に記載の映像判定装置であり、被検査チューナの種類により、基準となる比較レベルを簡単に変更することができる。
【００１２】
請求項５に記載の発明は、比較器の出力信号をパルス整形した後カウンタを介して信号処理器に接続された請求項４に記載の映像判定装置であり、カウンタの値が入力されるため、信号処理器の負担は少なくてすむ。
【００１３】
請求項６に記載の発明は、判別手段の出力にモニタを接続するとともに、このモニタに被検査チューナの検査内容を表示させる請求項１に記載の映像判定装置であり、被検査チューナの品質内容をいつでも目視でチェックすることができる。
【００１４】
請求項７に記載の発明は、判別手段の出力にプリンタを接続するとともに、このプリンタに被検査チューナの検査内容を印字させる請求項１に記載の映像判定装置であり、被検査チューナの品質状況を紙の形式で記録して保存しておくことができる。
【００１５】
また、その品質の推移をグラフ等に表すこともできる。
【００１６】
請求項８に記載の発明は、判別手段の出力に警報ランプを接続するとともに、減算器の出力が予め定められた値以上の場合に前記警報ランプを点灯させる請求項１に記載の映像判定装置であり、品質不良が発生する度に担当者に知らせることができる。また、光による警報であるので、例え雑音の大きい所でも品質不良を認識することができ、すぐに必要な対策を施すことができる。
【００１７】
請求項９に記載の発明は、判別手段の出力に警報ブザーを接続するとともに、減算器の出力が予め定められた値以上の場合に前記警報ブザーを鳴動させる請求項１に記載の映像判定装置であり、品質不良が発生する度に担当者に知らせることができる。また、音による警報であるので、例え目視を妨げる障害物がある所でも品質不良を認識することができ、すぐに必要な対策を施すことができる。
【００１８】
請求項１０に記載の発明は、映像信号発生器と、この映像信号発生器の映像信号を高周波変調した高周波変調信号が一方の出力から供給される被検査チューナと、この被検査チューナからの出力信号が供給される可変増幅器と、前記映像信号発生器のベースバンド信号が他方の出力から供給される可変遅延器と、この可変遅延器の出力信号と前記可変増幅器の出力信号との差を算出する減算器と、この減算器の出力信号が供給される判別手段とを備え、前記可変遅延器と前記可変増幅器は前記被検査チューナの代わりに基準チューナを用いたとき、前記減算器からの出力が略零になるように調整したものであり、前記被検査チューナの良否判定において、前記減算器の出力が予め定められた範囲にあるときは、前記被検査チューナは良品であると判定する映像判定装置であって、基準チューナの時間遅れと増幅度をシュミレートした直列接続体を通過した信号と、被検査チューナを通過した信号との差で被検査チューナの良否を判定するものであり、判定者の判定能力に負うところはないので、安定した判定品質が得られる。
【００１９】
また、被検査チューナと直列に可変増幅器が接続されているので、可変遅延素子とのバランスが良く、調整が容易にできる。
【００２０】
請求項１１に記載の発明は、映像信号発生器の他方の出力と被検査チューナの出力信号とを互いに切り替える切り替え器を介して、可変増幅器の入力と可変遅延器の入力とに夫々入力する請求項１０に記載の映像判定装置であり、入力信号を切り替えることができるので、被検査チューナの種類によって接続を手操作で切り替える必要がない。
【００２１】
請求項１２に記載の発明の判別手段は、演算器の出力に複数個のフィルタを並列接続するとともに、これらの並列接続されたフィルタの出力をそれぞれ別処理する請求項１１に記載の映像判定装置であり、それぞれの周波数帯毎のノイズ量や波形異常を知ることができるので、被検査チューナの不良性能項目を特定することができる。
【００２２】
請求項１３に記載の発明は、複数個のフィルタは第１のフィルタと第２のフィルタとから成り、前記第１のフィルタの出力は、平均値検出回路を介して信号処理器に接続されるとともに、前記第２のフィルタの出力はピークレベル検出回路を介して前記信号処理器に接続された請求項１２に記載の映像判定装置であり、平均値検出回路を有しているので、ビート、マイクロ等の比較的長時間に渡る被検査チューナの品質不良を検出できるとともに、ピークレベル検出回路を有しているので、加振等の比較的短時間内におけるノイズを検出することもできる。
【００２３】
請求項１４に記載の発明のピークレベル検出回路は、プラス側のピークを検出するプラスピークレベル検出回路とマイナス側のピークを検出するマイナスピークレベル検出回路とを並列に設け、前記プラスピークレベル検出回路と前記マイナスピークレベル検出回路の夫々の出力を加算する加算回路を設けるとともに、この加算回路の出力を信号処理回路に接続した請求項１３に記載の映像判定装置であり、比較的短時間内におけるノイズが検出でき、プラスピークレベル検出回路と、マイナスピークレベル検出回路を有しているので、夫々のピークレベルを検出することができる。また、夫々の出力を加算する加算回路を有しているので、ピークの絶対値を測定することもできる。
【００２４】
請求項１５に記載の発明の第１のフィルタの出力は、平均値検出回路を介して信号処理器に接続されるとともに、第２のフィルタの出力はレベル比較回路を介して前記信号処理器に接続された請求項１３に記載の映像判定装置であって、平均値検出回路を有しているので、ビート、マイクロ等の比較的長時間に渡る被検査チューナの品質不良を検出できるとともに、レベル比較回路を有しているので、レベル設定を適宜行うことによって、比較的短時間内における指定レベルのノイズを検出することもできる。
【００２５】
請求項１６に記載の発明のレベル比較回路は、プラス側のレベルを比較するプラスレベル比較回路とマイナス側のレベルを比較するマイナスレベル比較回路とを並列に設け、前記プラスレベル比較回路と前記マイナスレベル比較回路の出力と信号処理器との間にパルス幅を計測するカウンタとパルス数を計測するカウンタとを並列に接続した請求項１５に記載の映像判定装置であり、指定されたノイズレベルの幅とパルス数を検出することができる。
【００２６】
請求項１７に記載の発明の第１のフィルタの出力は、平均値検出回路を介して信号処理器に接続し、第２のフィルタの一方の出力はピークレベル検出回路を介して前記信号処理器に接続するとともに前記第２のフィルタの他方の出力はレベル検出回路を介して前記信号処理器に接続された請求項１３に記載の映像判定装置であって、平均値検出回路を有しているので、ビート、マイクロ等の比較的長時間に渡る被検査チューナの品質不良を検出できるとともに、ピークレベル検出回路を有しているので、加振等の比較的短時間内におけるノイズを検出することもできる。更にまた、レベル比較回路を有しているので、レベル設定を適宜行うことによって、比較的短時間内における指定レベルのノイズを検出し、被検査チューナの品質を総合的に判定することができる。
【００２７】
以下、本発明の実施の形態について、図面に基づいて説明する。
【００２８】
（実施の形態１）
図１において、１１は映像信号発生器であり、この映像信号発生器１１の一方の端子１１ａは被検査物であるチューナ１２の入力に接続される。そして、このチューナ１２の出力は、切り替え器１３の一方の入力端子１３ａに接続され、この切り替え器１３の一方の出力端子１３ｃは減算器１４の一方の入力端子１４ａに接続されている。一方、前記映像信号発生器１１の他方の端子１１ｂは、切り替え器１３の他方の入力端子１３ｂに接続され、この切り替え器１３の他方の出力端子１３ｄは、可変遅延器１５と可変増幅器１６を介して前記減算器１４の他方の入力端子１４ｂに接続されている。そして、この減算器１４の出力は判別手段１７に接続されている。
【００２９】
ここで、可変遅延器１５と可変増幅器１６とは直列接続であるので、本実施の形態のように可変遅延器１５に続いて可変増幅器１６を接続しても良いし、逆に可変増幅器１６に続いて可変遅延器１５を接続しても良い。また、本実施の形態における可変遅延器１５は、２００ｎＳｅｃから１６４μＳｅｃの範囲で可変できるものであり、可変増幅器１６はチューナ１２の増幅度の略１．５倍まで歪みなく直線的に可変増幅できるとともに、この範囲において飽和しないことが重要である。
【００３０】
すなわち、可変遅延器１５と可変増幅器１６とで規定の性能を有する基準チューナとの時間遅れと増幅度をシュミレートしているわけである。したがって、この基準チューナと被検査物のチューナ１２の出力が減算器１４で比較されるわけであり、この減算器１４の出力がない場合には、被検査物であるチューナ１２は基準チューナと同じ性能を有するということである。すなわちチューナ１２は良品ということになる。逆に減算器１４の出力がある場合は、その出力の値が被検査物であるチューナ１２と基準チューナの差異を示していることになる。したがって、この差異量が予め定められた値以下のものは良品となり、予め定められた値以上のものは不良品ということになる。
【００３１】
なお、映像信号発生器１１の一方の出力端子１１ａは、映像信号を高周波変調したものであり、映像信号発生器１１の他方の出力端子１１ｂは、映像信号のベースバンド出力である。また、この一方の出力端子１１ａ、他方の出力端子１１ｂ共に内部に可変アッテレータが内蔵されており、その出力レベルを可変することができるようになっている。
【００３２】
図２は判別手段１７のブロック図である。図２において、１８は判定入力端子であり、この判定入力端子１８は１ｋＨｚから２００ｋＨｚの周波数を通過させるフィルタ１９と、１００Ｈｚから２０ｋＨｚの周波数を通過させるフィルタ２０とに接続されている。そして、フィルタ１９の出力信号は、比較器２１と、パルス整形器２２と、カウンタ２３とがこの順序に接続されて信号処理器２４に入力される。また、比較器２１の比較入力は信号処理器２４から接続され、信号処理器２４から任意に設定することができる。
【００３３】
一方、フィルタ２０の一方の出力信号は、比較器２５と、パルス整形器２６と、カウンタ２７とがこの順序に接続されて前記信号処理器２４に入力される。また、比較器２５の比較入力は比較器２１と同様に信号処理器２４から接続されており、信号処理器２４から任意に設定することができる。又、フィルタ２０の他方の出力信号は、ピーク検出器２８と、切り替えスイッチ２９と、Ａ／Ｄ変換器３０とがこの順序に接続されて前記信号処理器２４に入力される。ピーク処理回路３１は前記比較器２５の出力と前記ピーク検出器２８の出力が接続されて前記信号処理器２４に入力される。また、前記切り替えスイッチ２９のもう一方の入力は基準ビデオ入力端子３２を介して、前記映像信号発生器１１の他方の端子１１ｂに接続されている。
【００３４】
以上のように構成された映像判定装置について、以下にその動作を説明する。
【００３５】
映像信号発生器１１の一方の端子１１ａから出力される高周波変調信号は、チューナ１２を介して減算器１４の一方の入力端子１４ａに入力されるとともに、他方の端子１１ｂから出力されるベースバンド信号は、可変遅延器１５と可変増幅器１６を介して減算器１４の他方の入力端子１４ｂに入力されるので、減算器１４の出力は、この両信号の差の信号が出力されることになる。したがって、先ずチューナ１２として、基準となるチューナを接続し、この時減算器１４からの出力が零になるように、可変遅延器１５と可変増幅器１６を調整する。このとき、映像信号発生器１１内のアッテネータを調整しても良い。何れにしても、基準となるチューナを装着したとき減算器１４からの出力を零になるように設定する。次に判定したいチューナ１２を接続する。このチューナ１２の性能が基準チューナと同じならば、減算器１４からの出力は零になる。チューナ１２の性能が基準チューナと異なるならば、減算器１４からはその相違量に応じた出力が得られる。この出力が予め定められた範囲内であるならば、チューナ１２は良品と判定される。この判定は判別手段１７で判定される。このように、判定者の個人的な判定を除去しているので、安定した判定品質が得られる。
【００３６】
また、切り替え器１３で入力切り替えができるので、チューナ１２のみでなく、種々の特性を有する被検査物の検査も同様の方法で行うことができる。
【００３７】
判別手段１７は、図２に示すように、入力信号を２種類のフィルタ１９と２０に分けているので、信号処理器２４では周波数帯の相違による不良の種類をある程度特定することができる。すなわち、フィルタ１９から得られる情報は比較的周波数の高い成分での不良であり、フィルタ２０から得られる情報は比較的周波数の低い成分での不良である。また、この各々の出力は比較器２１，２５でそれぞれ信号処理器２４からの比較信号レベルと比較される。この比較信号レベルは自由に設定でき、どのレベルからを有効とするか決めることができる。また、この比較器２１，２５からの出力は、パルス整形器２２，２６でパルス整形されるとともに、カウンタ２３，２７を介して信号処理器２４に接続される。従って、信号処理器２４の負担は少ない。
【００３８】
また、切り替えスイッチ２９により、フィルタ２０からの周波数成分と、基準映像信号（映像信号発生器１１のベースバンド信号）とを切り替えて、Ａ／Ｄ変換器３０を通すことにより、信号処理器２４でディジタル量として直接比較することもできる。
【００３９】
また、信号処理器２４（判別手段の出力でもある）で信号処理された信号は、その結果をモニタ３３に表示している。このことにより、チューナ１２の品質内容をいつでも目視でチェックすることができる。
【００４０】
また、信号処理器２４にプリンタ３４が接続されており、このプリンタ３４にチューナ１２の検査内容を印字させるようになっている。このことにより、チューナ１２の品質状況を紙の形式で記録して保存しておくことができる。また、その品質の推移をグラフ等に表すこともできる。
【００４１】
更に、この信号処理器２４の出力に警報ランプ（図示せず）を接続し、減算器１４の出力が予め定められた値以上の場合に前記警報ランプを点灯させることができる。この場合、品質不良が発生する度に担当者に知らせることができる。また、光による警報であるので、例え雑音の大きい所でも品質不良を認識することができ、すぐに必要な対策を施すことができる。
【００４２】
また、信号処理器２４の出力に警報ブザー（図示せず）を接続し、減算器１４の出力が予め定められた値以上の場合に前記警報ブザーを鳴動させることにより、品質不良が発生する度に担当者に知らせることもできる。またこれは、音による警報であるので、例え目視を妨げる障害物がある所でも品質不良を認識することができ、すぐに必要な対策を施すことができる。更にまた、警報ランプと警報ブザーとを併用することもできる。
【００４３】
（実施の形態２）
次に、実施の形態２について、図３、図４を用いて説明する。図３において実施の形態１と同じものについては実施の形態１と同じ番号にしている。図３において、１１は映像信号発生器であり、この映像信号発生器１１の一方の端子１１ａには被検査物であるチューナ１２が接続されている。そして、このチューナ１２の出力は切り替え器１３の一方の入力端子１３ａに接続されるとともに、前記映像信号発生器１１の他方の出力１１ｂは切り替え器１３の他方の入力端子１３ｂに接続されている。この切り替え器１３の一方の出力端子１３ｃは、可変増幅器１６を介して減算器１４の一方の入力１４ａに接続されている。また、切り替え器１３の他方の出力端子１３ｄは可変遅延器１５を介して前記減算器１４の他方の入力端子１４ｂに接続されている。そして、この減算器１４の出力は判別手段４１の入力に接続されている。すなわち、実施の形態１では、可変遅延器１５と可変増幅器１６とは直列接続されているのに対して、実施の形態２においては、切り替え器１３と減算器１４との間に夫々並列に接続されている点で異なる。このように並列接続することにより、可変増幅器１６による遅延が容易に可変遅延器１５で補正することができる。また、判別手段４１は図４に示すように実施の形態１とは異なっている。
【００４４】
次に、判別手段４１について説明する。図４において、４２は判定入力端子であり、この判定入力端子４２は、フィルタ４３と４４に接続されている。このフィルタ４３，４４はともに可変バンドフィルタであり、１００Ｈｚ〜１００ｋＨｚの間の指定されたバンド幅の周波数を通過させるものである。そして、このフィルタ４３，４４は信号処理器４５からの信号で、その周波数とバンド幅が適宜設定される。フィルタ４３の出力はアッテネータ４６を介して平均値検出回路４７に接続され、この平均値検出回路４７の出力はＡ／Ｄ変換器４８を介して信号処理器４５に接続されている。ここで、アッテネータ４６は１，５，１０，５０ｄＢの４段階の切り替えが可能なものである。平均値検出回路４７では入力される信号の平均値が求められるので、比較的長時間に渡っての減算器１４からの出力のうち、フィルタ４３を通った信号を計測することができ、ビートノイズ、マイクロノイズの検出ができる。なお、このときフィルタ４３は１ｋＨｚ〜２０ｋＨｚ程度に設定されている。
【００４５】
また、フィルタ４４の出力はノイズのピークを計測するブロックとノイズのレベルを計測するブロックとに分かれて接続されている。ノイズのピークを計測するブロックは、プラスピーク検出回路４９とマイナスピーク検出回路５０とが並列に接続されて、それぞれ信号処理回路４５に接続されている。また、プラスピーク検出回路４９の出力とマイナスピーク検出回路５０の出力は夫々加算回路５１の入力に接続され、その出力は信号処理回路４５に接続されている。このとき、フィルタ４４は１００Ｈｚ〜２０ｋＨｚ程度に設定されているので、比較的短時間における加振ノイズ等のピーク値を計測することができる。また、加算回路５１を設けているので、プラスのピークとマイナスのピークの絶対値を計測することもできる。
【００４６】
また、ノイズのレベルを計測するブロックは、フィルタ４４の出力にプラスレベル比較器５２とマイナスレベル比較器５３とが並列に接続され、更にこの並列接続の出力にパルス幅計測カウンタ５４とパルス回数計測カウンタ５５とが並列に接続され、夫々の出力は信号処理器４５に接続されている。このときも、フィルタ４４は１００Ｈｚ〜２０ｋＨｚ程度に設定されているので、比較的短時間における加振ノイズ等のレベルを計測することができる。このレベルは信号処理器４５からの信号で、プラスレベル比較器５２とマイナスレベル比較器５３の比較レベルを適宜設定することができる。従って、設定されたレベルにおけるパルスの幅（ノイズの幅）とパルスの回数（ノイズの回数）を計測することができる。このように、本実施の形態２においても、比較的長時間に渡るノイズと比較的短時間におけるノイズの形態を総合的に計測して、チューナ１２の品質を判定することができる。
【００４７】
また、実施の形態２においても、信号処理器４５（判別手段４１の出力でもある）で信号処理された信号は、その結果をモニタ３３に表示している。このことにより、チューナ１２の品質内容をいつでも目視でチェックすることができる。
【００４８】
また、信号処理器４５にプリンタ３４が接続されており、このプリンタ３４にチューナ１２の検査内容を印字させるようになっている。このことにより、チューナ１２の品質状況を紙の形式で記録して保存しておくことができる。また、その品質の推移をグラフ等に表すこともできる。
【００４９】
更に、この信号処理器４５の出力に警報ランプ（図示せず）を接続し、減算器１４の出力が予め定められた値以上の場合に前記警報ランプを点灯させることができる。この場合、品質不良が発生する度に担当者に知らせることができる。また、光による警報であるので、例え雑音の大きい所でも品質不良を認識することができ、すぐに必要な対策を施すことができる。
【００５０】
また、信号処理器４５の出力に警報ブザー（図示せず）を接続し、減算器１４の出力が予め定められた値以上の場合に前記警報ブザーを鳴動させることにより、品質不良が発生する度に担当者に知らせることもできる。またこれは、音による警報であるので、例え目視を妨げる障害物がある所でも品質不良を認識することができ、すぐに必要な対策を施すことができる。更にまた、警報ランプと警報ブザーとを併用することもできる。
【００５１】
【発明の効果】
以上のように本発明によれば、映像信号発生器と、この映像信号発生器の映像信号を高周波変調した高周波変調信号が一方の出力から供給される被検査チューナと、前記映像信号発生器のベースバンド信号が他方の出力から供給される可変遅延器と可変増幅器の直列接続体と、この直列接続体の出力信号と前記被検査チューナの出力信号との差を算出する減算器と、この減算器の出力信号が供給される判別手段とを備え、前記直列接続体は前記被検査チューナの代わりに基準チューナを用いたとき、前記減算器からの出力が略零になるように前記可変遅延器と前記可変増幅器を調整したものであり、前記被検査チューナの良否判定において、前記減算器の出力が予め定められた範囲にあるときは、前記被検査チューナは良品であると判定するものであり、基準チューナの時間遅れと増幅度をシュミレートした直列接続体を通過した信号と、被検査チューナを通過した信号との差で被検査チューナの良否を判定するものであり、判定者の判定能力に負うところはないので、安定した判定品質が得られる。
【００５２】
また、映像信号発生器の一方の出力信号側は、減算器との間に被検査チューナが接続されているのみであり、特別に遅延素子を有していないので、正確な測定ができる。
【図面の簡単な説明】
【図１】  本発明の実施の形態１における映像判定装置のブロック図
【図２】  同、映像判定装置の判別手段のブロック図
【図３】  本発明の実施の形態２における映像判定装置のブロック図
【図４】  同、映像判定装置の判別手段のブロック図
【図５】  従来の映像判定装置のブロック図
【符号の説明】
１１  映像信号発生器
１２  チューナ
１４  減算器
１５  可変遅延器
１６  可変増幅器
１７  判別手段
【図１】
0003708261.tif 000002
【図２】
0003708261.tif 000003
【図３】
0003708261.tif 000004
【図４】
0003708261.tif 000005
【図５】
0003708261.tif 000006